(57)【要約】    【課題】設定項目の見落としや設定の誤りを未然に発見し無駄なジョブ実行を防ぐ。    【解決手段】実行すべきジョブに係る複数項目の設定に係る操作を受け付ける操作入力部と、受け付けた設定内容を記憶する設定記憶部と、設定内容および確認キーを表示する表示部と、所定のキーの操作に応答して表示部に設定内容および確認キーを項目別に表示させ、各確認キーが押されるのを待ってからジョブの実行を開始する制御部とを備える画像形成装置。【選択図】図６
2018114735.tif 000002
【特許請求の範囲】
【請求項１】
実行すべきジョブに係る複数項目の設定に係る操作を受け付ける操作入力部と、
受け付けた設定内容を記憶する設定記憶部と、
設定内容および確認キーを表示する表示部と、
所定のキーの操作に応答して前記表示部に設定内容および確認キーを項目別に表示させ、各確認キーが押されるのを待ってから前記ジョブの実行を開始する制御部とを備える画像形成装置。
【請求項２】
前記所定のキーは、前記項目の設定完了、設定確認または前記ジョブの実行開始の指示を受け付けるキーである請求項１に記載の画像形成装置。
【請求項３】
前記設定記憶部は、前記ジョブの設定に係る各項目のうち何れの項目について前記確認キーを表示させるかを表示設定として予め記憶し、
前記制御部は、前記表示設定に基づいて前記表示部に確認キーを表示させる請求項１に記載の画像形成装置。
【請求項４】
前記設定記憶部は、各項目について設定の初期値を予め記憶し、
前記制御部は、前記初期値と異なる設定がなされた項目について前記確認キーを表示させる請求項１に記載の画像形成装置。
【請求項５】
前記設定記憶部は、ユーザーを問わず直近に実行された同種のジョブまたは同一の認証ＩＤを有するユーザーによって直近に実行された同種のジョブの設定を記憶し、
前記制御部は、直近に実行された同種のジョブと異なる設定がなされた項目について前記確認キーを表示させる請求項１に記載の画像形成装置。
【請求項６】
前記設定記憶部は、以前に実行されたジョブについて設定の履歴を記憶し、
前記制御部は、前記履歴の代表的設定を判断し、その代表的設定と異なる項目について前記確認キーを表示させる請求項１に記載の画像形成装置。
【請求項７】
前記設定記憶部は、設定完了および実行開始の各操作について、その操作に応答して設定内容および確認キーを表示させるか否かの設定を表示設定として予め記憶し、
前記制御部は、前記表示設定に基づいて前記表示部に設定内容および確認キーを表示させるか否かを決定する請求項１に記載の画像形成装置。
【請求項８】
前記制御部は、前記確認キーに加えてその項目の設定変更を受け付ける操作キーを前記表示部に表示させる請求項１に記載の画像形成装置。
【請求項９】
複数の特権レベルの何れかを有するユーザーを認証する認証部をさらに備え、
前記制御部は、前記認証部によるユーザー認証を実施し、認証されたユーザーが有する特権レベルに基づいて前記表示部に設定内容および確認キーを表示させるか否かを決定する請求項１に記載の画像形成装置。
【請求項１０】
外部の画像形成装置と通信可能に接続された情報処理装置に適用され、
前記画像形成装置に実行させるべきジョブに係る複数項目の設定を受け付ける操作入力部と、
受け付けた設定内容を記憶する設定記憶部と、
設定内容および確認キーを表示する表示部と、
所定のキーの操作に応答して前記表示部に設定内容および確認キーを項目別に表示させ、各確認キーが押されるのを待ってから前記ジョブの実行開始指示を受付ける制御部と、
前記画像形成装置にその指示を送る通信部を備えた装置として前記情報処理装置を機能させるプリンタドライバ用のプログラム。
【発明の詳細な説明】
【技術分野】
【０００１】
この発明は、ジョブの実行前に設定確認を求める画像形成装置に関する。
【背景技術】
【０００２】
選択および設定された機能を一覧表示する画像形成装置が知られている。その画像形成装置においてユーザーは、印刷、コピー、原稿読取など画像形成に係るジョブを実行する前に、例えば設定確認キーを押すことによって、画像形成装置が備える表示手段に諸設定を設定確認画面に表示させて確認することができる（例えば、特許文献１参照）。確認の結果、設定に誤りがあると分かった場合は、設定確認画面を消したうえで通常の設定操作と同様の手順で現在の設定を変更する。
また、プリンタの場合、コンピュータのディスプレイに設定内容確認画面を表示させるものもある（例えば、特許文献２参照）。
【先行技術文献】
【特許文献】
【０００３】
【特許文献１】特開２００４−３３３５３２号公報
【特許文献２】特開２００４−５４４３２号公報
【発明の概要】
【発明が解決しようとする課題】
【０００４】
特許文献１では、操作表示部の設定確認キーを押すと、複数項目が複数のグループに一覧表示される設定確認画面に表示が切り換わる。ユーザーは設定確認画面で現在の設定内容を目視確認し、意図した設定であれば別グループの表示に設定確認画面を切り換えるかあるいはスタートキーを押下してジョブを開始できる。意図した設定と異なっていれば、元の画面に戻って設定をやり直すことができる。
【０００５】
しかし、設定内容の確認はグループ毎に一括表示されるため、画面内に確認すべき事項が多数存在する。よって、ユーザーがある項目を見落としたり注意が散漫になったりする可能性がある。
この発明は、以上のような事情を考慮してなされたものであって、設定項目の見落としや設定の誤りを未然に発見し無駄なジョブ実行を防ぐことのできる画像形成装置を提供するものである。
【課題を解決するための手段】
【０００６】
この発明は、実行すべきジョブに係る複数項目の設定に係る操作を受け付ける操作入力部と、受け付けた設定内容を記憶する設定記憶部と、設定内容および確認キーを表示する表示部と、所定のキーの操作に応答して前記表示部に設定内容および確認キーを項目別に表示させ、各確認キーが押されるのを待ってから前記ジョブの実行を開始する制御部とを備える画像形成装置を提供する。
【０００７】
また、異なる観点からこの発明は、外部の画像形成装置と通信可能に接続された情報処理装置に適用され、前記画像形成装置に実行させるべきジョブに係る複数項目の設定を受け付ける操作入力部と、受け付けた設定内容を記憶する設定記憶部と、設定内容および確認キーを表示する表示部と、所定のキーの操作に応答して前記表示部に設定内容および確認キーを項目別に表示させ、各確認キーが押されるのを待ってから前記ジョブの実行開始指示を受付ける制御部と、前記画像形成装置にその指示を送る通信部を備えた装置として前記情報処理装置を機能させるプリンタドライバ用のプログラムを提供する。
【発明の効果】
【０００８】
この発明による画像形成装置において、制御部は所定のキーの操作に応答して前記表示部に設定内容および確認キーを項目別に表示させ、各確認キーが押されるのを待ってから前記ジョブの実行を開始するので、設定項目の見落としや設定の誤りを未然に発見し無駄なジョブ実行を防ぐことができる。
【図面の簡単な説明】
【０００９】
【図１】この実施形態における画像形成装置の操作入力部および表示部の付近を示す外観斜視図である。
【図２】図１に示す操作入力部および表示部を上方から見た配置を示す平面図である。
【図３】図１に示す画像形成装置の概略構成を示すブロック図である。
【図４】この実施形態におけるコピー操作画面の一例を示す説明図である。
【図５】この実施形態における設定確認画面の一例を示す説明図である。（実施の形態１）
【図６】図５に示す設定確認画面の全ての確認キーが押された状態を示す説明図である。
【図７】この実施形態において、制御部が設定確認に関して実行する処理の手順を示すフローチャートである。
【図８】設定確認画面の図５と異なる実施形態を示す説明図である。（実施の形態２）
【図９】設定確認画面の図５および図８と異なる実施形態を示す説明図である。（実施の形態３）
【図１０】制御部が設定確認に関して実行する処理の図７と異なる実施形態のフローチャートである。（実施の形態３）
【図１１】設定確認画面の図５、図８および図９と異なる実施形態を示す説明図である。（実施の形態４）
【図１２】図１１の設定変更画面で、部数の変更キーが押された場合の部数変更画面の例を示す説明図である。
【図１３】制御部が設定確認に関して実行する処理の図７および図１０と異なる実施形態のフローチャートである。（実施の形態４）
【図１４】この実施形態において印刷ジョブの設定確認画面の一例を示す説明図である。（実施の形態５）
【図１５】この実施形態においてファックス送信ジョブの設定確認画面の一例を示す説明図である。（実施の形態５）
【図１６】この実施形態においてイメージ送信ジョブの設定確認画面の一例を示す説明図である。（実施の形態５）
【発明を実施するための形態】
【００１０】
以下、図面を用いてこの発明をさらに詳述する。なお、以下の説明は、すべての点で例示であって、この発明を限定するものと解されるべきではない。
【００１１】
（実施の形態１）
≪画像形成装置の構成≫
最初に、この実施形態における画像形成装置の構成を説明する。
図１は、この実施形態における画像形成装置の操作入力部および表示部の付近を示す外観斜視図である。図２は、図１の操作入力部および表示部を上方から見た配置を示す平面図である。図１および図２に示すように、画像形成装置１００は、手前側の上面にユーザーの操作を受付ける操作入力部１０１と、操作画面および設定内容を表示する表示部１０９とを有している。表示部１０９は、グラフィック表示可能な液晶画面であって、表面にタッチパネルが配置されて画面に表示される操作キーオブジェクトにユーザーがタッチする操作を検出する。よって、表示部１０９は、操作入力部１０１としての機能を兼ね備えている。
【００１２】
表示部１０９の傍には、ハードウェアキーとして、画像形成装置１００の主電源をオンおよびオフする電源キー１０３、画像形成装置１００を節電状態に移行させ、あるいは節電状態から待機状態へ復帰させる節電キー１０５およびホーム画面を呼び出すホーム画面キー１０７が配置されている。節電キー１０５は自照式で、節電状態の間は節電キー１０５の照明が点灯して節電状態にあることを示す。
また、表示部１０９とは別に、専用の表示ランプとして主電源がオンの場合に点灯する主電源ランプ１１１、ファックス受信を知らせるファックス受信ランプ１１３が配置されている。
【００１３】
図３は、画像形成装置１００の概略構成を示すブロック図である。図３に示すように、画像形成装置１００は、前述の操作入力部１０１、表示部１０９を備える。さらに、原稿の画像を読み取る画像読取部１２３、シートに画像を印刷する画像形成部１２５、印刷の指示を与えるホストや画像読取部１２３で読み取った画像の送信先である外部の機器と通信する通信部１２７を備える。さらにまた、それら各部の動作を制御する制御部１２０、画像データ、ＣＰＵが実行するプログラムおよび前記ＣＰＵが参照するデータを格納する記憶部１２１を備える。記憶部１２１は、ジョブの設定を記憶する設定記憶部１２１ａを含む。
【００１４】
制御部１２０は、ＣＰＵを中心として入出力回路やタイマー等の周辺回路を含む電気回路である。前記ＣＰＵは、記憶部１２１に予め格納された制御プログラムに従って処理を実行し、各部の動作を制御する。記憶部１２１は、フラッシュメモリーやハードディスク装置等の不揮発性記憶装置を含み、さらに前記ＣＰＵにワークエリアを提供するＲＡＭを含む。画像読取部１２３は、原稿を走査するスキャナーである。原稿送り装置等の機構を含んでもよい。
画像形成部１２５は、画像読取部１２３によって読み込まれた画像や通信部１２７を介して外部の機器から受領した印刷データに基づいてシート状に画像を印刷するプリンタである。
【００１５】
通信部１２７は、外部の機器と印刷データ、画像データ、他の情報をやり取りする通信インターフェイスであって、通信方式は問わない。
≪ジョブの実行開始に係る操作手順と表示≫
続いて、この実施形態におけるジョブの実行開始に係る操作手順と表示について説明する。なお、画像形成装置１００は、コピージョブ、印刷ジョブ、ファックス送信ジョブ、ファックス受信ジョブ、読み込んだ画像を外部の機器にe-mailとして送信するイメージ送信ジョブ、読み込んだ画像を記憶部１２１に格納し、格納された画像を印刷するファイリングジョブ等のジョブを実行できる。それらのジョブの代表例として、ここではコピージョブの実行開始時の操作について説明する。
【００１６】
図４は、コピージョブを設定および実行する際に表示部１０９に表示されるコピー操作画面の一例を示す説明図である。図４に示すように、コピー操作画面１１は、画面中央に画像形成装置１００の状態を示すイラスト表示される。その左方には、「部数」、「原稿サイズ」、「出力サイズ」、「両面」、「倍率」の各設定項目にアクセスする操作キー類が表示される。そして、右下隅にはコピージョブの実行開始を指示するスタートキー１３が表示される。
【００１７】
ユーザーは、コピージョブの開始に先立って、「部数」、「原稿サイズ」、「出力サイズ」、「両面」、「倍率」の各設定項目にアクセスし、意図に従って設定を行う。設定が完了したら、コピーの原稿を画像読取部１２３の所定の位置にセットする。例えば、原稿送り装置に原稿をセットする。あるいは、原稿送り装置を上方に開放してその下にある原稿台に原稿をセットする。そして、スタートキー１３を押してコピージョブの開始を指示する。
【００１８】
表示部１０９上のタッチパネルは、操作入力部１０１として、スタートキー１３が表示された箇所をタッチするユーザーの操作を検出する。制御部１２０は、その検出に応答して図５に示す設定確認画面を表示部１０９に表示させる。設定確認画面１５には、「部数」、「原稿サイズ」、「出力サイズ」、「両面」および「倍率」の各項目について現在の設定が表示され、各項目との対応関係が明確な右隣の近い位置に、各項目に対応する確認キーが表示されている。
【００１９】
「部数」の設定は５部であって、その項目に対応する確認キー１７ａが表示される。「原稿サイズ」の設定はＡ４サイズであって、その項目に対応する確認キー１７ｂが表示されている。「出力サイズ」の設定はＡ４サイズであって、その項目に対応する確認キー１７ｃが表示されている。「両面」の設定は両面縦とじであって、その項目に対応する確認キー１７ｅが表示されている。「倍率」の設定は１００％であって、その項目に対応する確認キー１７ｅが表示されている。
【００２０】
さらに右下隅には、「実行」および「中止」の操作キーが表示される。中止キー２１は有効でそれが押されると制御部１２０は、設定確認画面１５を消して図４の画面に戻す。一方、実行キー１９はこの段階でグレイアウト表示されており、操作が無効である。そして、「以下の設定で、ジョブを実行しますか？」のメッセージが表示されている。
【００２１】
メッセージに対応してユーザーが、「部数」、「原稿サイズ」、「出力サイズ」、「両面」および「倍率」の各項目について表示されている現在の設定を確認すると、確認した項目に対応する確認キー１７ａ、１７ｂ、１７ｃ、１７ｄ、１７ｅを順次押す。すると、図６に示すように、制御部１２０は、押された確認キーの表示を反転させて操作を受け付けられたことを示す。各項目の確認キーが押されたら、制御部１２０は、実行キー１９を有効にする。ユーザーが実行キー１９をタッチすると、その操作に応答して制御部１２０は、設定された条件でコピージョブの実行を開始する。
このように、制御部１２０は、ジョブに係る各設定項目について実行開始前にユーザーに確認の操作を行わせて、確認が完了したらジョブの実行開始の指示を受け付ける。
【００２２】
図７は、制御部１２０が実行する設定確認の手順を示すフローチャートである。図７に示すように、制御部１２０は、ユーザーが図４に示すコピー操作画面等において操作入力部１０１を用いて行うジョブの設定を受け付ける（ステップＳ１１）。
続いて、ユーザーがスタートキー１３を押してジョブの実行開始を指示する操作を受付けると（ステップＳ１３）、制御部１２０は、表示部１０９に図５に示すような設定確認画面を表示させる（ステップＳ１７）。
そして、各設定項目に対応する確認キーを監視して（ステップＳ１９）、各確認キーが押されるのを待つ（ステップＳ２１）。各確認キーが押されたら（ステップＳ２１のＹｅｓ）、制御部は、実行キー１９を有効にして実行キー１９が押されるのを待つ（ステップＳ２３）。ユーザーが実行キー１９を押す操作を受付けると（ステップＳ２３のＹｅｓ）、制御部１２０は、設定に従ってジョブを実行する（ステップＳ２５）。
【００２３】
以上、コピージョブを例に、項目毎の設定確認操作をユーザーに行わせる手順を述べた。印刷ジョブ、ファックス送信ジョブ、イメージ送信ジョブ、ファイリングジョブ等、他のジョブについても同様にして項目毎の設定確認操作をユーザーに行わせることができる。なお、例えば、印刷ジョブの場合は、ジョブの設定および実行開始の指示は画像形成装置１００と通信するホスト（情報処理装置）の側で行うので、設定確認画面はホスト側に表示される。例えば、ホスト側にインストールされたプリンタドライバがホストのディスプレイモニタに図５に示すような設定確認画面を表示させる。その場合、図３のブロック図のうち、画像読取部１２３と画像形成部１２５とを除いた各部がホスト側に存在する構成になる。
【００２４】
また、ジョブの実行を指示するスタートキーが押された後に設定確認画面を表示させる態様を述べたが、設定確認画面を表示させるタイミングはそれに限らない。
例えば、ジョブに係る各項目を設定する画面に設定確認画面を呼び出す呼出しキーを配置しておき、呼出しキーが押されたらいつでも設定確認画面が表示されるようにしてもよい。
あるいは、図４のコピー操作画面で、例えば「部数」のキーを押して部数を設定する画面に入り、設定を終えて図４のコピー操作画面に戻る前のタイミングで、設定確認画面を表示させてその項目の確認を求めるようにしてもよい。即ち、各項目の設定が完了した段階でその項目の確認操作を求めてもよい。
また、プレビュー機能を備えた画像形成装置において、プレビューが指示されたことに応答して設定確認画面を表示させてもよい。
【００２５】
（実施の形態２）
この実施形態では、ジョブの設定に係る一部の項目についてのみ実行開始前にユーザーに確認の操作を行わせる。
判り易いように、実施の形態１で述べたコピージョブと対比させた例に基づいて説明する。
図８は、この実施形態における設定確認画面を示す説明図である。上述の実施の形態１における図５に対応する画面である。
コピージョブの設定は実施の形態１と同様であるが、設定確認画面１５に表示される設定項目は「部数」と「両面」の２つだけである点で図５と異なる。
【００２６】
「部数」および「両面」は、印刷面数、ひいては印刷コストに直結するので、「原稿サイズ」、「出力サイズ」、「倍率」といった他の項目より確認の必要性が高いとして設定確認画面１５でユーザーに確認させるのである。
いずれの設定項目を設定確認画面１５に表示するかは、予めプログラムしてもよいが、書き換え可能な設定記憶部１２１ａに予め格納されており、管理者あるいはユーザーが表示させるべき設定項目を選択できることが好ましい。
【００２７】
（実施の形態３）
この実施形態では、初期設定をユーザーが変更した項目を設定確認画面で確認の対象とする。
各設定項目の初期値は、一般的に使用される確率の高いものが予め設定されているのが通常である。初期値から設定が変更された項目について、ユーザーが誤って設定したり、設定後に意図が変わったりしていないかを設定確認画面で確認する。初期値が変更されていない設定を確認の操作対象から除外することによって、全項目について確認の操作を求める場合に比べて手間を減らすことができる。
【００２８】
図９は、この実施形態における設定確認画面の例を示す説明図である。図９に示す設定確認画面１５は、図５と同様に各設定項目が表示されるが、一部の項目はグレイアウトされて確認キーは無効である。具体的には、「原稿サイズ」、「出力サイズ」、「両面」に対応する確認キー１７ｂ、１７ｃおよび１７ｄがグレイアウトされて無効である。これらの項目は初期値のままである。
ユーザーは設定確認画面１５で設定を確認できるが、対応する確認キーを押す操作は不要である。ただし、もし設定が意図したものでないことに気づいたら、中止キー２１を押して図４に示すコピー操作画面に戻り、設定を変更することが可能である。
【００２９】
グレイアウトされた確認キーを表示する代わりに、確認キーを表示せず、項目と設定のみを設定確認画面に表示してもよい。
一方、「部数」は初期値である１部から８部に設定が変更されているので、確認キー１７ａを押して設定を確認しなければジョブの実行を開始できない。同様に、「倍率」は初期値の１００％から８８％に設定が変更されているので、確認キー１７ｅを押して設定を確認しなければジョブの実行を開始できない。
【００３０】
図１０は、この実施形態における制御部１２０の処理を示すフローチャートであって、実施の形態１の図７に対応するものである。図７と対応する処理には対応する符号を付している。図７と同様の処理は説明を省略し、異なる部分に焦点をあてて説明する。
図１０で、制御部１２０は、スタートキー１３がタッチされたと判断すると（ステップＳ１３）、設定記憶部１２１ａに格納された現在の設定値を初期値と比較する（ステップＳ１５）。初期値は、画像形成装置１００の工場出荷時の固定値であってもよいが、管理者によって書き換え可能なデータとして設定記憶部１２１ａと別の記憶部１２１内の領域に格納されたデータであってもよい。
各項目の設定が初期値と一致した場合（ステップＳ１５のＮｏ）、制御部１２０は、設定確認画面の表示を省略してジョブの実行を開始する（ステップＳ２５）。
【００３１】
別の態様として、各項目の設定が初期値と一致した場合でも、設定確認画面１５を表示させて、ユーザーが各項目の設定を確認できるようにしてもよい。ただし、各項目に対応する確認キーを押す必要はなく、設定確認画面１５の実行キー１９を押すことでジョブの実行を開始する。
一方、何れかの項目の設定が初期値から変更されている場合（ステップＳ１５のＹｅｓ）、設定確認画面を表示させて、変更された項目について確認キーを押す操作を求める（ステップＳ１９、Ｓ２１）。その後、実行キー１９が押されたら（ステップＳ２３）、ジョブの実行を開始する（ステップＳ２５）。
【００３２】
（実施の形態４）
実施の形態１〜３では、設定確認画面１５で意図した設定と異なる項目があった場合、ユーザーは中止キー２１を押して元のコピー操作画面１１に戻り、設定の変更を行った。
この実施形態では、設定確認画面１５に各項目に対応する変更キーを設けて、容易に設定を変更できるようにする。
図１１は、この実施形態における設定確認画面を示す説明図である。図１１で、各項目に対応する確認キーに近接した右隣の位置、即ち、各項目との対応関係が明確な位置に変更キー２３ａ〜２３ｅが表示されている。
確認キーが押された場合の処理は、実施の形態１で述べたものと同様である。一方、ユーザーが例えば「部数」の設定を変更したい場合は、変更キー２３ａを押す。
【００３３】
その操作に応答して制御部１２０は、図１２に示す部数変更画面２５を表示して部数の変更を受け付ける。制御部は、部数変更画面２５に表示されたアップまたはダウンキーが押されたら、それに応じて部数を変更する。その後、部数変更画面２５の変更キーが押されると、制御部１２０は、変更された「部数」の設定を反映した状態で図１１の設定確認画面１５に戻る。前記画面一方、部数変更画面２５の中止キーが押されたら、設定を変更せずに図１１の設定確認画面１５に戻る。
他の項目についても同様である。
【００３４】
図１３は、この実施形態における制御部１２０の処理を示すフローチャートであって、実施の形態１の図７に対応するものである。図７と対応する処理には対応する符号を付している。図７と同様の処理は説明を省略し、異なる部分に焦点をあてて説明する。
図１３で、制御部１２０は、設定確認画面１５で各項目で確認キーが押されるのを待つ（ステップＳ１９、Ｓ２１）間に、変更キーが押されたか否かも監視する（ステップＳ２７）。即ち、確認キーあるいは変更キーが押されたか否かを監視する（ステップＳ１９のＮｏおよびステップＳ２７のＮｏを経由するループ）。何れかの確認キーが押されたら（ステップＳ１９のＹｅｓ）その項目の確認が完了したと判断する。一方、確認キーではなく変更キーが押された場合は（ステップＳ２７）、変更キーに対応した項目の設定について変更を受け付ける（ステップＳ２９）。
各項目について確認キーが押されたら（ステップＳ２１のＹｅｓ）、実行キー１９が押されるのを待って（ステップＳ２３）、ジョブの実行を開始する（ステップＳ２５）。
【００３５】
（実施の形態５）
実施の形態１〜４は、コピージョブを例に説明したが、印刷ジョブ、ファックス送信ジョブ、イメージ送信ジョブ等、他のジョブについても同様である。この実施形態では、他のジョブにおける設定確認画面の例を説明する。
図１４は、この実施形態における印刷ジョブの設定確認画面の例を示す説明図である。実施の形態２（図８）に係るコピージョブの設定確認画面に対応するものである。ただし、コピージョブの設定確認画面は画像形成装置１００の表示部１０９に表示されるのに対して、印刷ジョブの設定確認画面は、画像形成装置１００と通信可能に接続されたホスト（図示せず）の表示部に表示される。ユーザーは、プリンタドライバがインストールされた前記ホスト上で印刷の指示を行う。図１４の設定確認画面は、プリンタドライバによるダイアログボックスの一つとしてホストの表示部に表示される。
【００３６】
また、図１５は、この実施形態におけるファックス送信ジョブの設定確認画面の例を示す説明図である。図１６は、この実施形態におけるイメージ送信ジョブの設定確認画面の例を示す説明図である。図１５および図１６は、実施の形態３（図９）に係るコピージョブの設定確認画面に対応するものである。ただし、図１５および図１６はジョブの種類以外にも図９と異なる点がある。図９では、コピージョブに係るすべての設定項目が表示されるが、初期値のままの項目はグレイアウトされて表示されている。これに対して図１５および図１６では、初期値（推奨値）と異なる設定項目のみが表示されている。その点は、ジョブの種類にかかわらず何れの態様であってもよい。
【００３７】
以上に述べたように、
（i）この発明による画像形成装置は、実行すべきジョブに係る複数項目の設定に係る操作を受け付ける操作入力部と、受け付けた設定内容を記憶する設定記憶部と、設定内容および確認キーを表示する表示部と、所定のキーの操作に応答して前記表示部に設定内容および確認キーを項目別に表示させ、各確認キーが押されるのを待ってから前記ジョブの実行を開始する制御部とを備えることを特徴とする。
【００３８】
この発明において、ジョブは、一つの実行開始の操作に対応して実行される画像形成に係る処理である。その具体的な態様は、例えば、印刷、コピー、原稿読取などである。
また、設定項目は、実行すべきジョブの条件に係る設定項目である。その具体的な態様は、例えば、印刷の部数、カラー印刷とモノクロ印刷の種別、印刷シートのサイズおよび種類、片面印刷か両面印刷かの設定、読み取るべき原稿のサイズ、原稿の片面を読み取るか両面を読み取るかの設定などである。
さらにまた、操作入力部は、ユーザーからの操作を受付けるものである。その具体的な態様は、例えば、専用のキースイッチや、表示パネルに配置されるタッチパネルである。
【００３９】
設定記憶部は、ジョブに係る設定を記憶するものである。その具体的な態様は、例えば、フラッシュメモリーなど不揮発性の記憶装置である。
また、表示部は、画像形成装置の状態やジョブに係る設定を表示するものである。その具体的な態様は、例えば、液晶表示パネルである。
さらにまた、制御部は、例えばＣＰＵを中心としてＲＯＭ、ＲＡＭ、入出力回路等のハードウェアを備え、ＣＰＵがＲＯＭに予め格納された制御プログラムを実行することにより処理を実行するものである。
【００４０】
さらに、この発明の好ましい態様について説明する。
（ii）前記所定のキーは、前記項目の設定完了、設定確認または前記ジョブの実行開始の指示を受け付けるキーであってもよい。
（iii）前記設定記憶部は、前記ジョブの設定に係る各項目のうち何れの項目について前記確認キーを表示させるかを表示設定として予め記憶し、前記制御部は、前記表示設定に基づいて前記表示部に確認キーを表示させてもよい。
このようにすれば、確認が必要な項目を絞ることにより、確認操作にかかる時間を短くできる。
【００４１】
（iv）前記設定記憶部は、各項目について設定の初期値を予め記憶し、前記制御部は、前記初期値と異なる設定がなされた項目について前記確認キーを表示させてもよい。
このようにすれば、確認が必要な項目を絞ることにより、確認操作にかかる時間を短くするとともに、設定ミスをより確実に防止できる。
【００４２】
（v）前記設定記憶部は、ユーザーを問わず直近に実行された同種のジョブまたは同一の認証ＩＤを有するユーザーによって直近に実行された同種のジョブの設定を記憶し、前記制御部は、直近に実行された同種のジョブと異なる設定がなされた項目について前記確認キーを表示させてもよい。
このようにすれば、確認が必要な項目を絞ることにより、確認操作にかかる時間を短くするとともに、設定ミスをより確実に防止できる。
【００４３】
（vi）前記設定記憶部は、以前に実行されたジョブについて設定の履歴を記憶し、前記制御部は、前記履歴の代表的設定を判断し、その代表的設定と異なる項目について前記確認キーを表示させてもよい。
このようにすれば、確認が必要な項目を絞ることにより、確認操作にかかる時間を短くするとともに、設定ミスをより確実に防止できる。
【００４４】
（vii）前記設定記憶部は、設定完了および実行開始の各操作について、その操作に応答して設定内容および確認キーを表示させるか否かの設定を表示設定として予め記憶し、前記制御部は、前記表示設定に基づいて前記表示部に設定内容および確認キーを表示させるか否かを決定してもよい。
このようにすれば、確認することが必要でない場合、表示を行わないことにより操作時間を短縮できる。
【００４５】
（viii）前記制御部は、前記確認キーに加えてその項目の設定変更を受け付ける操作キーを前記表示部に表示させてもよい。
このようにすれば、確認の結果ミスが判明した場合、設定変更を受け付ける操作キーを操作して設定を変更することにより容易にミスを修正できる。
【００４６】
（ix）複数の特権レベルの何れかを有するユーザーを認証する認証部をさらに備え、前記制御部は、前記認証部によるユーザー認証を実施し、認証されたユーザーが有する特権レベルに基づいて前記表示部に設定内容および確認キーを表示させるか否かを決定してもよい。
このようにすれば、確認することが必要でない場合、表示を行わないことにより操作時間を短縮できる。
この発明の好ましい態様には、上述した複数の態様のうちの何れかを組み合わせたものも含まれる。
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００４７】
１１：コピー操作画面、    １３：スタートキー、    １５：設定確認画面、    １７ａ，１７ｂ，１７ｃ，１７ｄ，１７ｅ：確認キー、    １９：実行キー、    ２１：中止キー、    ２３ａ，２３ｂ，２３ｃ，２３ｄ，２３ｅ：変更キー、    ２５：部数変更画面
１００：画像形成装置、    １０１：操作入力部、    １０３：電源キー、    １０５：節電キー、    １０７：ホーム画面キー、    １０９：表示部、    １１１：主電源ランプ、    １１３：ファックス受信ランプ
１２０：制御部、    １２１：記憶部、    １２１ａ：設定記憶部、    １２３：画像読取部、    １２５：画像形成部、    １２７：通信部
【図１】
2018114735.tif 000003
【図２】
2018114735.tif 000004
【図３】
2018114735.tif 000005
【図４】
2018114735.tif 000006
【図５】
2018114735.tif 000007
【図６】
2018114735.tif 000008
【図７】
2018114735.tif 000009
【図８】
2018114735.tif 000010
【図９】
2018114735.tif 000011
【図１０】
2018114735.tif 000012
【図１１】
2018114735.tif 000013
【図１２】
2018114735.tif 000014
【図１３】
2018114735.tif 000015
【図１４】
2018114735.tif 000016
【図１５】
2018114735.tif 000017
【図１６】
2018114735.tif 000018